(57)【要約】【課題】所望の配光特性が得られ、光の出射効率を向上できるレンズ38を用いた埋込形標識灯を提供する。【解決手段】レンズ38の主レンズ部62で発光ダイオード36から入射した光を光軸方向ｂの中央領域に出射する主配光を形成する。レンズ38の副レンズ部63で発光ダイオード36から入射した光を主配光の左右領域に出射する副配光を形成する。レンズ38の補助レンズ部64，65で発光ダイオード36から入射した光を主配光および副配光にわたって重なる領域に出射する補助配光を形成する。レンズ38により、埋込形標識灯に適した横長となる所望の配光特性が得られ、光の出射効率を向上できる。【選択図】図１
2008311206.tif 000002
【特許請求の範囲】
【請求項１】
光源から入射した光を光軸方向の中央領域に出射する主配光を形成する主レンズ部と；
光源から入射した光を主配光の左右領域に出射する副配光を形成する副レンズ部と；
光源から入射した光を主配光および副配光にわたって重なる領域に出射する補助配光を形成する補助レンズ部と；
を具備していることを特徴とするレンズ。
【請求項２】
光を出射するレンズ出射面は光軸方向から見て円形に形成され、このレンズ出射面の中央に主レンズ部が、主レンズ部の左右に副レンズ部が、主レンズ部および副レンズ部の上下に補助レンズ部がそれぞれ形成されている
ことを特徴とする請求項１記載のレンズ。
【請求項３】
主レンズ部、副レンズ部および補助レンズ部は、それぞれ光軸対称となるように形成されている
ことを特徴とする請求項１または２記載のレンズ。
【請求項４】
副レンズ部は、光源から光を入射する副入射面および光を出射する副出射面を有し、これら副入射面および副出射面の少なくとも一方に光を拡散する拡散面が設けられている
ことを特徴とする請求項１ないし３いずれか一記載のレンズ。
【請求項５】
補助レンズ部は、光源から光が入射する補助入射面および光が出射する補助出射面を有し、これら補助入射面および補助出射面の少なくとも一方に光を拡散する拡散面が設けられている
ことを特徴とする請求項１ないし４いずれか一記載のレンズ。
【請求項６】
上下の補助レンズ部は、補助配光が個別に制御されている
ことを特徴とする請求項２記載のレンズ。
【請求項７】
少なくとも一側方へ向けて光の出射が可能な出射窓が形成された灯体と；
灯体内に配置される光源と；
光源の光を入射し、出射窓から出射する光の配光を制御する請求項１ないし６いずれか一記載のレンズを有する光学系と；
を具備していることを特徴とする埋込形標識灯。
【請求項８】
光学系は、レンズから光を入射する入射面、入射した光を反射させる反射面、および反射した光を出射窓から出射させる出射面が形成されたプリズムを有し、プリズムとレンズとがプリズムの反射面に入射する光の入射角によって全反射する関係に配置されている
ことを特徴とする請求項７記載の埋込形標識灯。
【発明の詳細な説明】
【技術分野】
【０００１】
本発明は、配光を制御するレンズ、およびこのレンズを用いた埋込形標識灯に関する。
【背景技術】
【０００２】
従来、例えば、空港の滑走路や誘導路の路面に、航空機を誘導するための航空標識灯などの埋込形標識灯が埋め込み設置されている。この埋込形標識灯は、灯体上部が路面から少し突出した状態に設置され、その灯体上部に側方へ向けて形成された出射窓から光を出射し、航空機を操縦するパイロットから視認できるようにしている。
【０００３】
このような埋込形標識灯では、水平方向の所定の角度範囲内において良好な視認性が要求されるため、出射窓から出射する光の配光が横長となるような配光特性が要求されている。
【０００４】
横長の配光特性を得るためには、発光ダイオードを光源としている場合は横長の基板に複数の発光ダイオードを配列して横長の光源部を形成することによって横長の配光特性となるように設定している（例えば、特許文献１参照。）。
【特許文献１】特開２００４−３６２９７７号公報（第９頁、図３−５）
【発明の開示】
【発明が解決しようとする課題】
【０００５】
埋込形標識灯においては、外形が小さく、路面から突出する寸法および路面に埋め込まれる寸法が小さいほうが望ましいが、複数の発光ダイオードを用いて横長に構成した光源部は大形になるため、そのような要求に対応することが難しい。
【０００６】
また、埋込形標識灯に用いられる発光ダイオードなどの光源が１つである場合には、そのような要求にも対応できる。この場合、１つの光源の配光を制御する手段として、一般的に円形のレンズが用いられる。
【０００７】
しかし、レンズを用いる場合には、埋込形標識灯に適した横長の配光を得ようとするために、得ようとする配光の上下方向にレンズの配光を合わせると、左右方向の配光が不足して横長の配光が得られず、また、得ようとする配光の左右方向にレンズの配光を合わせると、上下方向に無駄な配光が生じ、所望の配光内における光の出射効率が低下する問題がある。
【０００８】
本発明は、このような点に鑑みなされたもので、所望の配光特性が得られるとともに、光の出射効率を向上できるレンズ、およびこのレンズを用いた埋込形標識灯を提供することを目的とする。
【課題を解決するための手段】
【０００９】
請求項１記載のレンズは、光源から入射した光を光軸方向の中央領域に出射する主配光を形成する主レンズ部と；光源から入射した光を主配光の左右領域に出射する副配光を形成する副レンズ部と；光源から入射した光を主配光および副配光にわたって重なる領域に出射する補助配光を形成する補助レンズ部と；を具備しているものである。
【００１０】
光源は、例えば、他の光源に比べて小形である発光ダイオードが好ましいが、発光ダイオードに限定されるものではない。
【００１１】
レンズの主レンズ部、副レンズ部、補助レンズ部は、全て一体、一部一体、全て別体のいずれにて形成されていてもよい。
【００１２】
そして、主配光、この主配光の左右領域の副配光、主配光および副配光にわたって重なる補助配光により、横長となる所望の配光特性が得られるとともに、光の出射効率が向上する。
【００１３】
請求項２記載のレンズは、請求項１記載のレンズにおいて、光を出射するレンズ出射面は光軸方向から見て円形に形成され、このレンズ出射面の中央に主レンズ部が、主レンズ部の左右に副レンズ部が、主レンズ部および副レンズ部の上下に補助レンズ部がそれぞれ形成されているものである。
【００１４】
レンズ出射面は、光軸方向から見て円形で、その円形の中に主レンズ部、副レンズ部および補助レンズ部が位置されているが、光軸方向と異なる方向から見て主レンズ部、副レンズ部および補助レンズ部の位置が各配光を形成するうえで異なる場合もある。
【００１５】
このようにレンズ出射面を形成することにより、各配光を形成する機能を有するレンズが比較的簡単に構成され、光源から入射した光を所望の配光に効率よく出射可能となる。
【００１６】
請求項３記載のレンズは、請求項１または２記載のレンズにおいて、主レンズ部、副レンズ部および補助レンズ部は、それぞれ光軸対称となるように形成されているものである。
【００１７】
そして、このように形成することにより、各レンズ部分の形成が容易になるとともに、設計値に対して形状が安定しやすくなる。
【００１８】
請求項４記載のレンズは、請求項１ないし３いずれか一記載のレンズにおいて、副レンズ部は、光源から光を入射する副入射面および光を出射する副出射面を有し、これら副入射面および副出射面の少なくとも一方に光を拡散する拡散面が設けられているものである。
【００１９】
拡散面は、例えば、副入射面や副出射面に拡散材を貼り付けたり、副入射面や副出射面をサンドブラストなどにより加工したり、金型に処理を施しておいて成形時に金型で形成するなど、いずれでもよい。
【００２０】
拡散面を副入射面に設ける場合には、拡散させる部分が小さく、拡散面を設ける処理を施しやすく、また、拡散面を副出射面に設ける場合には、均斉度に問題のある部分のみを的確に補正しやすい。
【００２１】
そして、副レンズ部に拡散面を設けることにより、主配光には殆ど影響を与えず、均斉度が改善される。
【００２２】
請求項５記載のレンズは、請求項１ないし４いずれか一記載のレンズにおいて、補助レンズ部は、光源から光が入射する補助入射面および光が出射する補助出射面を有し、これら補助入射面および補助出射面の少なくとも一方に光を拡散する拡散面が設けられているものである。
【００２３】
拡散面は、例えば、補助入射面や補助出射面に拡散材を貼り付けたり、補助入射面や補助出射面をサンドブラストなどにより加工したり、金型に処理を施しておいて成形時に金型で形成するなど、いずれでもよい。
【００２４】
拡散面を補助入射面に設ける場合には、拡散させる部分が小さく、拡散面を設ける処理を施しやすく、また、拡散面を補助出射面に設ける場合には、均斉度に問題のある部分のみを的確に補正しやすい。
【００２５】
そして、補助レンズ部に拡散面を設けることにより、主配光および副配光には殆ど影響を与えず、均斉度が改善される。
【００２６】
請求項６記載のレンズは、請求項２記載のレンズにおいて、上下の補助レンズ部は、補助配光が個別に制御されているものである。
【００２７】
補助配光の個別の制御は、例えば、上下の補助レンズ部の形状によって光の出射方向を制御したり、拡散面を設けるなど、いずれでもよい。
【００２８】
そして、上下の補助レンズ部の補助配光を個別に制御することにより、主配光および副配光には殆ど影響を与えず、均斉度が改善される。
【００２９】
請求項７記載の埋込形標識灯は、少なくとも一側方へ向けて光の出射が可能な出射窓が形成された灯体と；灯体内に配置される光源と；光源の光を入射し、出射窓から出射する光の配光を制御する請求項１ないし６いずれか一記載のレンズを有する光学系と；を具備しているものである。
【００３０】
埋込形標識灯は、例えば、空港の滑走路や誘導路などの路面に埋め込み設置される航空標識灯があるが、これに限らず、道路など路面に埋め込み設置される道路標識灯でもよい。
【００３１】
灯体は、例えば、上部が路面から突出する状態に埋め込み設置され、出射窓から側方へ向けて光を出射する。灯体の出射窓は、一方向にのみ形成されていても、複数方向に向けてそれぞれ形成されていてもよい。
【００３２】
光学系は、例えば、レンズの他、プリズム、反射鏡などを組み合わせてもよい。
【００３３】
そして、レンズにより、埋込形標識灯に適した横長となる所望の配光特性が得られるとともに、光の出射効率が向上する。
【００３４】
請求項８記載の埋込形標識灯は、請求項７記載の埋込形標識灯において、光学系は、レンズから光を入射する入射面、入射した光を反射させる反射面、および反射した光を出射窓から出射させる出射面が形成されたプリズムを有し、プリズムとレンズとがプリズムの反射面に入射する光の入射角によって全反射する関係に配置されているものである。
【００３５】
プリズムとレンズとは、例えば、プリズムの下方にレンズが対向配置され、このレンズからプリズムに光が入射する入射方向と反射面で反射した光が出射窓から出射する出射方向とが略Ｌ字状となる関係に配置されている。
【００３６】
そして、プリズム自体の全反射特性を利用してレンズから入射した光を全反射させて出射窓から出射させることにより、反射材を用いる必要がなく、これにより反射材の劣化や特性のばらつきの影響がなく、配光特性が安定する。
【発明の効果】
【００３７】
請求項１記載のレンズによれば、主レンズ部で光源から入射した光を光軸方向の中央領域に出射する主配光を形成し、副レンズ部で光源から入射した光を主配光の左右領域に出射する副配光を形成し、補助レンズ部で光源から入射した光を主配光および副配光にわたって重なる領域に出射する補助配光を形成することにより、横長となる所望の配光特性が得られるとともに、光の出射効率を向上できる。
【００３８】
請求項２記載のレンズによれば、請求項１記載のレンズの効果に加えて、円形のレンズ出射面の中央に主レンズ部を、主レンズ部の左右に副レンズ部を、主レンズ部および副レンズ部の上下に補助レンズ部をそれぞれ形成することにより、各配光を形成する機能を有するレンズを比較的簡単に構成でき、光源から入射した光を所望の配光に効率よく出射できる。
【００３９】
請求項３記載のレンズによれば、請求項１または２記載のレンズの効果に加えて、主レンズ部、副レンズ部および補助レンズ部を、それぞれ光軸対称となるように形成することにより、各レンズ部分の形成を容易にできるとともに、設計値に対して形状が安定しやすくできる。
【００４０】
請求項４記載のレンズによれば、請求項１ないし３いずれか一記載のレンズの効果に加えて、副レンズ部の副入射面および副出射面の少なくとも一方に光を拡散する拡散面を設けることにより、主配光には殆ど影響を与えず、均斉度を改善できる。
【００４１】
請求項５記載のレンズによれば、請求項１ないし４いずれか一記載のレンズの効果に加えて、補助レンズ部の補助入射面および補助出射面の少なくとも一方に光を拡散する拡散面を設けることにより、主配光および副配光には殆ど影響を与えず、均斉度を改善できる。
【００４２】
請求項６記載のレンズによれば、請求項２記載のレンズの効果に加えて、上下の補助レンズ部の補助配光を個別に制御することにより、主配光および副配光には殆ど影響を与えず、均斉度を改善できる。
【００４３】
請求項７記載の埋込形標識灯によれば、請求項１ないし６いずれか一記載のレンズを用いることにより、埋込形標識灯に適した横長となる所望の配光特性が得られるとともに、光の出射効率を向上できる。
【００４４】
請求項８記載の埋込形標識灯によれば、請求項７の埋込形標識灯の効果に加えて、プリズム自体の全反射特性を利用してレンズから入射した光を全反射させて出射窓から出射させることにより、反射材を用いる必要がなく、これにより反射材の劣化や特性のばらつきの影響がなく、配光特性を安定させることができる。
【発明を実施するための最良の形態】
【００４５】
以下、本発明の一実施の形態を、図面を参照して説明する。
【００４６】
図１はレンズの鉛直方向に対応した断面図であり、図２はレンズの正面図であり、図３はレンズの水平方向に対応した断面図であり、図４(a)は主レンズ部を示す説明図、図４(b)は主配光の配光図であり、図５(a)は副レンズ部を示す説明図、図５(b)は副配光の配光図であり、図６(a)は主レンズ部と副レンズ部とを示す説明図、図６(b)は主配光と副配光とを合わせた配光図であり、図７(a)は上側の補助レンズ部を示す説明図、図７(b)は上側の補助配光の配光図であり、図８(a)は下側の補助レンズ部を示す説明図、図８(b)は下側の補助配光の配光図であり、図９(a)は上下の補助レンズ部を示す説明図、図９(b)は上下の補助配光を合わせた配光図であり、図１０(a)は主レンズ部と副レンズ部と上下の補助レンズ部とを示す説明図、図１０(b)は主配光と副配光と上下の補助配光とを合わせた配光図であり、図１１は誘導路中心線灯の規格配光を示し、(a)は直線部および広角部の規格配光を示すグラフ、(b)は曲線部の規格配光を示すグラフであり、図１２はレンズを用いた埋込形標識灯の平面図であり、図１３は埋込形標識灯の断面図である。
【００４７】
図１２および図１３に示すように、埋込形標識灯11は、例えば、空港の滑走路や誘導路などの路面12に埋め込み設置される航空標識灯であり、路面12に埋め込み設置される図示しない基台と、この基台の上部に取り付けられるアダプタリング13と、このアダプタリング13の上部に着脱可能に取り付けられる灯体14とを備えている。
【００４８】
アダプタリング13には、底部18およびこの底部18の外周部から立設された円筒状の周壁部19が形成され、これら底部18および周壁部19によって灯体14を収納する収納部20が上方に開口形成されている。底部18の周縁部には下部基台に図示しないボルトで取り付けるための複数の取付孔21および灯体14を取り付けるための図示しないボルトが下方から挿通されて突出する複数の挿通孔22がそれぞれ形成され、底部18の中央には下部基台内に連通する開口部23が形成されている。下部基台には、灯体14に電源を供給するケーブルが配線されている。そして、アダプタリング13の周壁部19の上端が路面12と略一致する高さに埋め込み設置されている。
【００４９】
また、灯体14は、円盤状の灯体本体26を有し、この灯体本体26の外周部近傍に複数の凹部27および各凹部27の底部に取付孔28が形成されている。そして、灯体本体26がパッキング29を介してアダプタリング13の収納部20に嵌め込まれ、アダプタリング13側から突出する各ボルトが各取付孔28から上方に突出し、これらボルトに図示しないナットを螺合して締め付けることにより、灯体14がアダプタリング13に液密に固定されている。そして、灯体14の上面は、外周部よりも中央部が上方に少し突出する凸形状で、アダプタリング13に取り付けられた灯体14の上面の外周部はアダプタリング13の周壁部19の上端部つまり路面12と略同じ高さに配置されるとともに、灯体14の上面の中央部はアダプタリング13の周壁部19の上端部および路面12よりも少し上方に突出して配置される。
【００５０】
灯体本体26の上部側には、互いに正反対となる逆向きでそれぞれ側方へ向けて光を出射可能とする２つの出射窓31、および各出射窓31から灯体本体26の外周部へ向けて設けられた出射溝32が形成されている。
【００５１】
２つの出射窓31は、横長四角形の開口形状で、灯体本体26の中心位置26aに対して互い違いとなる位置にそれぞれ配置されているとともに、各出射窓31の少なくとも一部が灯体本体26の中心位置26aより出射方向ａに対して反対側にそれぞれ配置されている。
【００５２】
出射溝32は、出射窓31の下部から灯体本体26の外周部の上端にわたって傾斜状に形成される溝底面33、および出射窓31の左右両側部から徐々に拡開するように形成される両側の溝側面34を有し、上方および側方の出射方向ａへ向けて拡開開口されている。
【００５３】
灯体14内には、各出射窓31に対応して、光源としての発光ダイオード36、およびこの発光ダイオード36の光を出射窓31から出射させる光学系37が光軸方向ｂに沿ってそれぞれ配置されている。
【００５４】
光学系37は、発光ダイオード36の光を入射して配光を制御するレンズ38、およびこのレンズ38で配光が制御された光を出射窓31から出射するプリズム39を有している。これらレンズ38およびプリズム39は、発光ダイオード36とともに、灯体本体26の下面に液密に取り付けられる図示しない下部カバーに覆われて取り付けられている。
【００５５】
プリズム39は、出射窓31の内側から図示しないパッキングを介して液密に嵌め込まれ、この状態で灯体本体26の下面に取り付けられる押え板40によって保持されている。プリズム39には、レンズ38から光を入射する入射面41、入射した光を反射させる反射面42、および反射した光を出射窓31から出射させる出射面43が形成されている。そして、レンズ38からの光がプリズム39の反射面42によって略全反射するようにプリズム39の反射面42が形成および配置されている。すなわち、プリズム39の下方にレンズ38が対向配置され、このレンズ38からプリズム39に光が入射するとともに反射面42に入射する入射方向と反射面42で反射した光が出射窓31から出射する出射方向ａとが略Ｌ字状となる関係に配置されている。
【００５６】
そして、この埋込形標識灯11では、発光ダイオード36の点灯により、この発光ダイオード36の光をレンズ38に入射し、このレンズ38で配光が制御されて出射する光をプリズム39の入射面41から入射し、このプリズム39に入射した光を反射面42で全反射するとともに出射面43から出射し、つまり出射窓31から出射溝32を通じて光を側方へ出射する。
【００５７】
次に、図１１には、誘導路中心線灯に要求される規格配光を示し、(a)は直線部および広角部の規格配光を示すグラフ、(b)は曲線部の規格配光を示すグラフであり、いずれも横長となる配光特性が要求されている。このような横長となる規格配光の要求に対応するためにレンズ38が用いられている。なお、グラフは、横軸が水平方向の角度、縦軸が鉛直方向の角度である。
【００５８】
図１ないし図３に示すように、レンズ38は、例えば、透明なガラス、もしくはポリカーボネートやアクリル樹脂などの透明な樹脂材料にて一体に形成されている。
【００５９】
レンズ38の背面側には発光ダイオード36が収容される円筒凹状の収容部51が形成され、この収容部51の内面に発光ダイオード36の光を入射するレンズ入射面52が形成されている。このレンズ入射面52は、光軸方向ｂに対向する凸面状の主入射面53、および光軸方向ｂに対して交差する方向に対向する円筒面状の副補助入射面54を有している。円筒面状の副補助入射面54は、主に左右域の副入射面54aと、主に上下域の補助入射面54bとを有している。
【００６０】
収容部51の周囲からレンズ38の表面側へ向けて拡開し、副補助入射面54に入射した光をレンズ38の表面側へ向けて全反射させる反射面55が形成されている。この反射面55は、例えば、断面略楕円形状に形成され、入射した光を光軸方向ｂに平行な方向へ向けて反射させる。
【００６１】
レンズ38の表面側には、レンズ38に入射した光が出射するレンズ出射面56が形成されている。このレンズ出射面56は、中央の主出射面57、この主出射面57の左右の副出射面58、主出射面57および副出射面58の上下の補助出射面59，60を有している。
【００６２】
主出射面57は、レンズ38の表面側中央に主入射面53に対向して形成された円筒状の窪み部61の底部に凸面状に形成されている。主入射面53と主出射面57との間に、発光ダイオード36から入射した光を光軸方向ｂの中央領域に出射する主配光を形成する凸レンズ状の主レンズ部62が形成されている。
【００６３】
副出射面58は、窪み部61の左右両側で、左右方向に湾曲した凸面状に形成されている。反射面55の左右の一部および副出射面58の部分により、発光ダイオード36から副補助入射面54に入射した光を主配光の左右領域に出射する副配光を形成する副レンズ部63が形成されている。
【００６４】
上下の補助出射面59，60は、左右方向に連続して湾曲した凸面状に形成されていて、副出射面58の左右方向の湾曲よりも曲面の半径が小さく曲がり具合が強く形成されている。反射面55の上下の一部および補助出射面59，60により、発光ダイオード36から入射した光を主配光および副配光にわたって重なる領域に出射する補助配光を形成する補助レンズ部64，65が形成されている。
【００６５】
そして、レンズ38の光を出射するレンズ出射面56は光軸方向ｂから見て円形に形成され、このレンズ出射面56の中央に主レンズ部62が、主レンズ部62の左右に副レンズ部63が、主レンズ部62および副レンズ部63の上下に補助レンズ部64，65がそれぞれ形成されている。また、主レンズ部62、副レンズ部63および補助レンズ部64，65は、それぞれ光軸対称となるように形成されている。
【００６６】
また、レンズ38は、出射窓31から出射する光の出射方向ａ（光軸方向ｂ）の左右領域に副配光が出射される配光とする関係を有するように配置されている。
【００６７】
なお、図１ないし図３では省略したが、図１３に示すようにレンズ38の周囲には灯体14側に取り付けるためのフランジ部66が形成されている。
【００６８】
そして、図４には主レンズ部62によって形成される主配光を示し、この主配光は光軸方向ｂの中央領域に出射する配光となる。この主配光はレンズ38から出射する全光の２５％の割合にあり、残りの７５％は副配光および補助配光が占める。なお、配光図は、横軸が水平方向の角度、縦軸が鉛直方向の角度である。
【００６９】
図５には副レンズ部63によって形成される副配光を示し、この副配光は主配光の左右領域に出射する配光となる。
【００７０】
図６には主レンズ部62による主配光と副レンズ部63による副配光とを合わせた合成配光を示し、この合成配光により上述した規格配光に近似した横長の配光が得られる。
【００７１】
また、図７および図８にはそれぞれ補助レンズ部64，65によって形成される補助配光を示し、これら補助配光は主配光および副配光にわたって重なる領域に出射する横長の配光となる。
【００７２】
図９には上下の補助レンズ部64，65による補助配光を合わせた合成配光を示し、この合成配光により上述した規格配光に近似した横長の配光が得られる。
【００７３】
そして、図１０には、主配光、副配光、上下の補助配光を合わせたレンズ38の配光を示し、上述した規格配光に近似した横長の配光が得られるとともに、主配光および副配光に補助配光を重ねることにより明るさを向上させ、光の出射効率を向上できる。
【００７４】
しかも、円形のレンズ出射面56の中央に主レンズ部62が、主レンズ部62の左右に副レンズ部63が、主レンズ部62および副レンズ部63の上下に補助レンズ部64，65がそれぞれ形成されることにより、各配光を形成する機能を有するレンズ38を比較的簡単に構成でき、発光ダイオード36から入射した光を所望の配光に効率よく出射できる。
【００７５】
また、主レンズ部62、副レンズ部63および補助レンズ部64，65を、それぞれ光軸対称となるように形成することにより、各レンズ部分の形成を容易にできるとともに、設計値に対して形状が安定しやすくできる。
【００７６】
また、光学系37にプリズム39を用い、このプリズム39自体の全反射特性を利用してレンズ38から入射した光を全反射させて出射窓31から出射させることができる。従来、光を反射させる反射面の外側には塗布などによって反射材を形成しているが、プリズム39自体の全反射特性を利用することで反射材を用いる必要がなく、これにより反射材の劣化や特性のばらつきの影響がなく、配光特性を安定させることができる。
【００７７】
ところで、レンズ38による配光のばらつきであって、特に副レンズ部63の部分で発生する配光のばらつきにより、ある角度に配光のピークが如実に現れ、均斉度を悪化させる場合がある。
【００７８】
そこで、レンズ38の副レンズ部63の副入射面54aと副出射面58とのいずれか一方、または両方に光を拡散する拡散面を設けることにより、主配光には殆ど影響を与えず、均斉度を改善できる。あるいは、レンズ38の上下の補助レンズ部64，65の補助入射面54bと補助出射面59，60とのいずれか一方、または両方に光を拡散する拡散面を設けることでも、主配光および副配光には殆ど影響を与えず、均斉度を改善できる。さらに、副レンズ部63や補助レンズ部64，65の両方に設けて、均斉度を改善してもよい。
【００７９】
この拡散面としては、例えば、各入射面や各出射面に拡散材を貼り付けたり、各入射面や各出射面をサンドブラストなどにより加工したり、金型に処理を施しておいて成形時に金型で形成するなど、いずれでもよい。
【００８０】
この拡散面としては、例えば、副入射面54aや補助入射面54b、副出射面58や補助出射面59，60に拡散材を貼り付けたり、副入射面54aや補助入射面54b、副出射面58や補助出射面59，60をサンドブラストなどにより加工したり、金型に処理を施しておいて成形時に金型で形成するなど、いずれでもよい。
【００８１】
拡散面を副入射面54aや補助入射面54bに設ける場合には、拡散させる部分の面積が小さく、拡散面を設ける処理を施しやすくでき、また、拡散面を副出射面58や補助出射面59，60に設ける場合には、均斉度に問題のある部分のみを的確に補正することができる。
【００８２】
なお、発光ダイオード36に光を拡散するように加工することもできるが、これでは全体の光量が低下してしまうため、副レンズ部63や補助レンズ部64，65に設けることが好ましい。
【００８３】
また、上下の補助レンズ部64，65の補助配光を同一に制御してもよいし、異なるように個別に制御してもよく、この場合にも、主配光および副配光には殆ど影響を与えず、均斉度を改善することができる。この補助配光の個別の制御は、例えば、上下の補助レンズ部64，65の形状によって光の出射方向を制御したり、上述した拡散面などを設けてもよい。
【図面の簡単な説明】
【００８４】
【図１】本発明の一実施の形態を示すレンズの鉛直方向に対応した断面図である。
【図２】同上レンズの正面図である。
【図３】同上レンズの水平方向に対応した断面図である。
【図４】同上レンズであって、(a)は主レンズ部を示す説明図、(b)は主配光の配光図である。
【図５】同上レンズであって、(a)は副レンズ部を示す説明図、(b)は副配光の配光図である。
【図６】同上レンズであって、(a)は主レンズ部と副レンズ部とを示す説明図、(b)は主配光と副配光とを合わせた配光図である。
【図７】同上レンズであって、(a)は上側の補助レンズ部を示す説明図、(b)は上側の補助配光の配光図である。
【図８】同上レンズであって、(a)は下側の補助レンズ部を示す説明図、(b)は下側の補助配光の配光図である。
【図９】同上レンズであって、(a)は上下の補助レンズ部を示す説明図、(b)は上下の補助配光を合わせた配光図である。
【図１０】同上レンズであって、(a)は主レンズ部と副レンズ部と上下の補助レンズ部とを示す説明図、(b)は主配光と副配光と上下の補助配光とを合わせた配光図である。
【図１１】同上誘導路中心線灯の規格配光を示し、(a)は直線部および広角部の規格配光を示すグラフ、(b)は曲線部の規格配光を示すグラフである。
【図１２】同上レンズを用いた埋込形標識灯の平面図である。
【図１３】同上埋込形標識灯の断面図である。
【符号の説明】
【００８５】
11    埋込形標識灯
14    灯体
31    出射窓
36    光源としての発光ダイオード
37    光学系
38    レンズ
39    プリズム
41    入射面
42    反射面
43    出射面
54a   副入射面
54b   補助入射面
56    レンズ出射面
58    副出射面
59    補助出射面
60    補助出射面
62    主レンズ部
63    副レンズ部
64，65    補助レンズ部
ｂ    光軸方向
【図１】
2008311206.tif 000003
【図２】
2008311206.tif 000004
【図３】
2008311206.tif 000005
【図４】
2008311206.tif 000006
【図５】
2008311206.tif 000007
【図６】
2008311206.tif 000008
【図７】
2008311206.tif 000009
【図８】
2008311206.tif 000010
【図９】
2008311206.tif 000011
【図１０】
2008311206.tif 000012
【図１１】
2008311206.tif 000013
【図１２】
2008311206.tif 000014
【図１３】
2008311206.tif 000015